(57)【要約】【課題】  ＥＰＧ（電子番組表）の番組表に利用電気料金を併記することで、異なる時間帯で放送される同じ番組が有る場合には、ユーザが、利用電気料金が安い時間帯に放送される番組の方を選んで予約できるテレビジョン放送受信装置およびテレビジョン放送番組の予約方法を提供する。【解決手段】  電気料金プランの開始時間を設定する開始時間設定枠２０１と、電気料金プランの終了時間を設定する終了時間設定枠２０２と、電気料金プランの該当プランの従量電気料金を設定する料金設定枠２０３、等を備えた電気料金プラン設定画面で、ユーザが、予め電気料金プラン（時間帯別電灯）を設定する。異なる時間帯に放送される同じ番組が複数存在している場合に、番組が予約される際には、当該番組各々の放送時間帯の利用電気料金を表示する。【選択図】  図２
2006203720.tif 000002
【特許請求の範囲】
【請求項１】
デジタル放送の受信手段を備えたテレビジョン放送受信装置において、
デジタル放送の受信信号からＥＰＧデータを取得する第１のＥＰＧデータ取得手段と、
取得した前記ＥＰＧデータに、番組毎の利用電気料金データを付加して番組表データを作成する番組表データ作成手段と、
前記番組表データに基いて電子番組表を表示する表示手段と、
電子番組表に基いて視聴または録画の予約を希望する番組を選択するための予約番組選択手段とを備えて、選択された番組の視聴または録画の予約処理を行うことを特徴とするテレビジョン放送受信装置。
【請求項２】
アナログ放送の受信手段と、電気通信回線網を介してＥＰＧデータを取得する第２のＥＰＧデータ取得手段とを設けており、
番組表データ作成手段は、前記第１のＥＰＧデータ取得手段または第２のＥＰＧデータ取得手段によって取得したＥＰＧデータに、デジタル放送の番組毎およびアナログ放送の番組毎の利用電気料金データを付加して番組表データを作成することを可能にしたことを特徴とする請求項１に記載のテレビジョン放送受信装置。
【請求項３】
時間帯別に契約された電気料金の契約内容を電気料金プランとして設定する電気料金プラン設定手段を設けており、
番組表データ作成手段は、利用電気料金プランに、その設定された電気料金プランを使用することを特徴とする請求項１または２に記載のテレビジョン放送受信装置。
【請求項４】
前記電気料金プラン設定手段は、ユーザの操作入力によってその電気料金プランのデータを入力し、かつ入力データを設定するものであることを特徴とする請求項３記載のテレビジョン放送受信装置。
【請求項５】
電気通信回線網を介して電気料金プランのデータを取得する電気料金プラン取得手段を設けており、
前記電気料金プラン設定手段は、電気料金プラン取得手段によって取得した電気料金プランのデータを設定することを特徴とする請求項３記載のテレビジョン放送受信装置。
【請求項６】
表示手段は、前記設定された電気料金プランから取得される番組毎の利用電気料金を、前記電子番組表に含めて表示することを特徴とする請求項３乃至５のいずれか１項に記載のテレビジョン放送受信装置。
【請求項７】
前記番組毎の利用電気料金を、電気料金を判別するためのマークによって表示することを特徴とする請求項６記載のテレビジョン放送受信装置。
【請求項８】
前記番組毎の利用電気料金の表示には、番組全体を視聴した時の合計利用電気料金の数値表示、及び視聴１時間当たりの利用電気料金の数値表示が含まれていることを特徴とする請求項６記載のテレビジョン放送受信装置。
【請求項９】
前記電子番組表に基いて予約を希望する番組が選択されたときに、その選択された番組の利用電気料金の表示を含む予約処理画面を表示する予約処理画面表示手段を設けていることを特徴とする請求項１乃至８のいずれか１項に記載のテレビジョン放送受信装置。
【請求項１０】
前記電子番組表に基いて予約を希望する番組が選択されたときに、その選択された番組とは異なる時間帯に放送されるその選択された番組と同じ内容の番組の存在の有無を前記ＥＰＧデータから検索する手段を設けており、
予約処理画面表示手段は、検索結果に基き、異なる時間帯に放送される同じ内容の番組が存在する場合には、前記選択された番組及び前記異なる時間帯に放送される同じ内容の番組の一覧表を前記予約処理画面に含めて表示することを特徴とする請求項９記載のテレビジョン放送受信装置。
【請求項１１】
予約処理画面に表示する、前記選択された番組及び前記異なる時間帯に放送される同じ内容の番組の一覧表に、前記設定された電気料金プランから取得される番組毎の利用電気料金の表示を含ませることを特徴とする請求項１０記載のテレビジョン放送受信装置。
【請求項１２】
予約処理画面に表示する、前記選択された番組及び前記異なる時間帯に放送される同じ内容の番組の一覧表に、番組の表示順序を、利用電気料金の安いもの順に変更して表示する表示制御手段を設けていることを特徴とする請求項１１記載のテレビジョン放送受信装置。
【請求項１３】
予約処理画面によって表示する、前記選択された番組及び前記異なる時間帯に放送される同じ内容の番組の一覧表は、放送開始時間の早いもの順、または利用電気料金の安いもの順のいずれにも変更して表示する表示制御手段を設けていることを特徴とする請求項１１記載のテレビジョン放送受信装置。
【請求項１４】
予約番組選択手段は、前記選択された番組及び前記異なる時間帯に放送される同じ内容の番組の一覧表のデータに基いて、放送開始時間が最も早い番組を、予約番組として決定可能になっていることを特徴とする請求項１０乃至１３のいずれか１項に記載のテレビジョン放送受信装置。
【請求項１５】
予約番組選択手段は、前記選択された番組及び前記異なる時間帯に放送される同じ内容の番組の一覧表のデータに基いて、利用電気料金が最も安い番組を、予約番組として決定可能になっていることを特徴とする請求項１０乃至１３のいずれか１項に記載のテレビジョン放送受信装置。
【請求項１６】
デジタル放送の受信手段と録画手段を備えたテレビジョン放送受信装置におけるテレビジョン放送番組の予約方法であって、
前記デジタル放送の受信信号から、または、電気通信回線網を介してＥＰＧデータを取得するＥＰＧデータ取得ステップと、
これら取得したＥＰＧデータに、番組毎の利用電気料金データを付加して番組表データを作成するステップと、
前記番組表データに基いて電子番組表を表示するステップと、
前記電子番組表に基いてユーザの操作入力によって視聴または録画の予約を希望する番組を選択する予約番組選択ステップと、
予約を希望する番組が選択された時に、その選択された番組の利用料金の表示を含む予約処理画面を表示するステップと、
予約処理画面に基いて予約する番組を決定するステップと、
を含むことを特徴とするテレビジョン放送番組の予約方法。
【発明の詳細な説明】
【技術分野】
【０００１】
本発明は、デジタル放送の送信データ等に含まれるＥＰＧ（電子番組表）を電子番組表として表示し、ユーザが、この電子番組表を用いてテレビ放送番組の視聴や予約等を行えるテレビジョン放送受信装置およびテレビジョン放送番組の予約方法に関する。
【背景技術】
【０００２】
従来、テレビジョン放送受信装置には、放送される番組の録画機能を備えるものや、録画機能を備えた他装置と連動して録画可能な映像・音声データを出力するものがある。ユーザは、このようなテレビジョン放送受信装置を使用して、録画を希望する番組の予約を行うことが可能である。
【０００３】
また、デジタル放送を受信するテレビジョン放送受信装置では、特許文献１（特開２００３−２９８５４２号公報）に記載されるように、デジタルテレビ放送の番組予約方法として受信した放送データ中の番組情報であるＥＰＧ（デジタル番組ガイド：電子番組表）によって受信可能になったものがある。録画に際して、このＥＰＧを番組表（電子番組表）として表示させて利用することができる。特許文献１に記載があるように、ＥＰＧ情報には、ネットワーク名、放送事業者名、サービス名、番組名等の番組を特定する情報が含まれている。
【０００４】
テレビ放送番組の録画ケースには、テレビジョン放送の再放送番組、若しくはサイマル放送等、複数の放送サービス（チャンネル）で映画等の同じコンテンツが放送される場合、ユーザは、どの放送サービスのコンテンツを録画するかを選択しなければならない。
【０００５】
このようなテレビ放送番組の表示方法に関して、上記の特許文献１には、複数の放送サービスで映画等の同じコンテンツが放送される場合、ユーザが、ＥＰＧ上で同一であると判断することができるデジタル放送受信システムが開示されている。
【０００６】
また、テレビジョン放送受信装置の録画における消費電力の節約に関して、例えば、特許文献２（特開平１０−３３６５４８号公報）には、デジタル放送の視聴状態（録画だけか、それとも視聴も行うか）に応じて、テレビジョン受像機の各回路への電源の供給を制御することで消費電力を低減する技術が開示されている。
【特許文献１】特開２００３−２９８５４２号公報
【特許文献２】特開平１０−３３６５４８号公報
【発明の開示】
【発明が解決しようとする課題】
【０００７】
しかしながら、上記従来のテレビジョン放送受信装置にあっては、電子番組表の表示時や番組予約をする際に、当該番組が放送される時間帯における利用電気料金を、ユーザが把握できるようには構成されておらず、よって、電気料金の観点から番組の予約や視聴番組の選択を行うことが困難である。例えば予約しようとする番組が他の時間帯に放送予定であり、その時間帯の方が電気料金が安い場合にもかかわらず、その時間帯を知ることができないという問題点があった。
【０００８】
ここで、「利用電気料金」とは、テレビジョン放送受信装置において、番組の放送時間帯における通常の視聴や録画、若しくは番組の放送時間帯における予約された視聴や録画が実施されることにより、前記テレビジョン放送受信装置が消費する電力量に対して賦課される電気料金のことである。
【０００９】
なお、前述の特許文献１に開示されたデジタル放送受信システムでは、同じ番組の一覧表を表示することはできるが、該当番組の利用電気料金を把握することはできないという問題点があった。
【００１０】
また、前述の特許文献２に開示されたテレビジョン放送受信装置では、ユーザの視聴状態において装置自らが消費電力を低減するものではあるが、視聴時間帯別の利用電気料金を表示することにより、ユーザの意思において利用電気料金を低減させることを意図したものではなく、よって、再放送やサイマル放送等のように、同じ番組が複数存在しているような場合において、ユーザは、利用電気料金の高い方の時間帯で放送される番組の方を選択して予約してしまうことがあるという問題点があった。
【００１１】
上記のように、従来の技術では利用電気料金の観点から番組の予約や視聴番組の選択をすることが困難であり、予約しようとする番組が他の時間帯に放送予定であり、その時間帯の方が利用電気料金が安い場合などにおいても、その番組を知ることができないという問題点があった。
【００１２】
本発明は、上記従来の問題点に鑑みてなされたものであって、ＥＰＧの番組表に利用電気料金を併記することで、異なる時間帯で放送される同じ番組が有る場合には、ユーザが、利用電気料金が安い時間帯に放送される番組の方を選んで予約できるようにしたテレビジョン放送受信装置およびテレビジョン放送番組の予約方法を提供することある。
【課題を解決するための手段】
【００１３】
本発明は、前記課題を解決するため、次の構成を有する。
【００１４】
本発明のテレビジョン放送受信装置は、デジタル放送の受信手段を備えたテレビジョン放送受信装置において、デジタル放送の受信信号からＥＰＧデータを取得する第１のＥＰＧデータ取得手段と、取得した前記ＥＰＧデータに、番組毎の利用電気料金データを付加して番組表データを作成する番組表データ作成手段と、前記番組表データに基いて電子番組表を表示する表示手段と、電子番組表に基いて視聴または録画の予約を希望する番組を選択するための予約番組選択手段とを備えて、選択された番組の視聴または録画の予約処理を行うことを特徴とする。
【００１５】
このように構成することにより、ユーザは、受信可能な全ての放送のＥＰＧ（電子番組表）データを画面に電子番組表として表示させることが可能となり、さらに、この電子番組表を用いて、表示画面上で番組の視聴、若しくは視聴予約や録画予約を行うことが可能となる。それと共に、番組毎の利用電気料金データを付加して番組表データを作成することができる。例えば、予約の際には、番組毎の利用電気料金を把握することができるので、同じ番組（タイトルやコンテンツが同じであるという意味であり、放送される時間帯は異なる）であるならば、利用電気料金の安い時間帯に放送される番組を選んで予約することができる。
【００１６】
本発明のテレビジョン放送受信装置においては、アナログ放送の受信手段と、電気通信回線網を介してＥＰＧデータを取得する第２のＥＰＧデータ取得手段とを設けており、番組表データ作成手段は、前記第１のＥＰＧデータ取得手段または第２のＥＰＧデータ取得手段によって取得したＥＰＧデータに、デジタル放送の番組毎およびアナログ放送の番組毎の利用電気料金データを付加して番組表データを作成することを可能にしたことが好適である。
【００１７】
このように構成することにより、電気通信回線網も使用してＥＧＰデータを取得することができ、しかもアナログ放送番組の番組予約もデジタル放送の番組と共に視聴又は録画を予約することができる。
【００１８】
また、本発明のテレビジョン放送受信装置においては、時間帯別に契約された電気料金の契約内容を電気料金プランとして設定する電気料金プラン設定手段を設けており、番組表データ作成手段は、利用電気料金プランに、その設定された電気料金プランを使用することが好適である。
【００１９】
このように構成することにより、ユーザは、電気料金についての最新の契約内容を、自分で電気料金プランとして本装置に設定しておき、通常の視聴や録画、若しくは予約による視聴や録画の際に、画面表示させることが可能となる。
【００２０】
さらに、本発明のテレビジョン放送受信装置においては、前記電気料金プラン設定手段が、ユーザの操作入力によってその電気料金プランのデータを入力し、かつ入力データを設定するものであることが好適である。
【００２１】
このように構成することにより、ユーザは、前記電気料金プランを設定する際に、手操作により本装置にデータを入力し、また、手等による操作により本装置にデータを再入力（更新）することが可能となる。
【００２２】
また、本発明のテレビジョン放送受信装置においては、電気通信回線網を介して電気料金プランのデータを取得する電気料金プラン取得手段を設けており、前記電気料金プラン設定手段は、電気料金プラン取得手段によって取得した電気料金プランのデータを設定することが好適である。
【００２３】
このように構成することにより、ユーザは、前記電気料金プランを設定する際に、電力会社等が運営するサーバから、電気通信回線網、例えば電話回線、ＬＡＮ、またはインターネット等のネットワーク網を介してデータを取得して設定することができる。電気通信回線網は、特許法第２９条第１項第３号にいう電気通信回線網を含む。
【００２４】
さらに、本発明のテレビジョン放送受信装置においては、前記設定された電気料金プランから取得される番組毎の利用電気料金を、前記電子番組表に含めて表示することが好適である。
【００２５】
このように構成することにより、ユーザは、電子番組表として番組情報を表示させる時に、表示される番組が放送される時間帯の利用電気料金も併せて表示させることができるので、この電子番組表を用いて、表示画面上で番組の視聴、若しくは視聴予約や録画予約を行うことが可能となると共に、例えば、予約の際には、同じ番組であるならば、利用電気料金の安い時間帯に放送される番組を選んで予約することができる。
【００２６】
また、本発明のテレビジョン放送受信装置においては、前記番組毎の利用電気料金を、電気料金を判別するためのマークによって表示することが好適である。
【００２７】
このように構成することにより、ユーザは、電子番組表を表示させた時に、表示される番組の時間帯の利用電気料金を、視認することが容易なマークにより把握することができる。
【００２８】
さらに、本発明のテレビジョン放送受信装置においては、前記番組毎の利用電気料金の表示には、番組全体を視聴した時の合計利用電気料金の数値表示、及び視聴１時間当たりの利用電気料金の数値表示が含まれていることが好適である。
【００２９】
このように構成することにより、ユーザは、番組表を表示させた際に、番組情報と共に、該当番組の利用電気料金の合計金額や、１時間当たりの利用電気料金などを表示させることができるので、通常の視聴や録画で、若しくは予約による視聴や録画で、本装置を利用する際に、実際にどれくらいの利用電気料金となるかの目安を得ることが可能となり、また、本装置の利用に関し、利用計画の選択肢が豊富となる。
【００３０】
また、本発明のテレビジョン放送受信装置においては、前記電子番組表に基いて予約を希望する番組が選択されたときに、その選択された番組の利用電気料金の表示を含む予約処理画面を表示する予約処理画面表示手段を設けていることが好適である。
【００３１】
このように構成することにより、ユーザは、電子番組表を用いて予約番組を選択することにより、直ちに予約処理画面を表示させることが可能となり、この予約処理画面の表示を用いて、予約したい番組の番組情報を得ると共に、その利用電気料金を知ることが可能となる。
【００３２】
さらに、本発明のテレビジョン放送受信装置においては、前記電子番組表に基いて予約を希望する番組が選択されたときに、その選択された番組とは異なる時間帯に放送されるその選択された番組と同じ内容の番組の存在の有無を前記ＥＰＧデータから検索する手段を設けており、予約処理画面表示手段は、検索結果に基き、異なる時間帯に放送される同じ内容の番組が存在する場合には、前記選択された番組及び前記異なる時間帯に放送される同じ内容の番組の一覧表を前記予約処理画面に含めて表示することが好適である。
【００３３】
このように構成することにより、ユーザは、電子番組表を用いて予約を行う際に、選択した番組と同じ番組を、全てのＥＰＧデータから検索させることができるので、選択した番組と異なる時間帯に放送される同じ番組が存在する場合には、前記選択した番組に、前記同じ番組を加えた一覧表を表示させることが可能となる。
【００３４】
また、本発明のテレビジョン放送受信装置においては、予約処理画面に表示する、前記選択された番組及び前記異なる時間帯に放送される同じ内容の番組の一覧表に、前記設定された電気料金プランから取得される番組毎の利用電気料金の表示を含ませることが好適である。
【００３５】
このように構成することにより、前記選択した番組に前記同じ番組を加えた一覧表において、全ての放送時間帯の利用電気料金が併せて表示されるので、ユーザは、前記選択した番組と共に全ての前記同じ番組の利用電気料金を知ることが可能となり、例えば、番組の予約の際には、同じ番組であるならば、利用電気料金の安い時間帯に放送される番組を選んで予約することができる。
【００３６】
さらに、本発明のテレビジョン放送受信装置において、予約処理画面に表示する、前記選択された番組及び前記異なる時間帯に放送される同じ内容の番組の一覧表に、番組の表示順序を、利用電気料金の安いもの順に変更して表示する表示制御手段を設けていることが好適である。
【００３７】
このように構成することにより、ユーザは、前記選択した番組及び前記異なる時間帯に放送される同じ番組の一覧表を表示させる際に、番組の並び順を、利用電気料金の安い順に並べて表示させることが可能となり、利用電気料金による予約番組の選択を容易に行うことが可能となる。
【００３８】
また、本発明のテレビジョン放送受信装置においては、予約処理画面によって表示する、前記選択された番組及び前記異なる時間帯に放送される同じ内容の番組の一覧表が、放送開始時間の早いもの順、または利用電気料金の安いもの順のいずれにも変更して表示する表示制御手段を設けていることが好適である。
【００３９】
このように構成することにより、ユーザは、前記選択した番組及び前記異なる時間帯に放送される同じ番組の一覧表を表示させる際に、番組の並び順を、所望の順序（利用電気料金の安い順、または放送開始時間の早い順）とさせることができる。
【００４０】
さらに、本発明のテレビジョン放送受信装置においては、予約番組選択手段が、前記選択された番組及び前記異なる時間帯に放送される同じ内容の番組の一覧表のデータに基いて、放送開始時間が最も早い番組を、予約番組として決定可能になっていることが好適である。
【００４１】
このように構成することにより、ユーザは、番組の予約の際に、前記選択した番組及び前記異なる時間帯に放送される同じ番組の一覧表から、現在の時刻から一番近い時間帯の番組を容易に選択し決定することが可能となる。
【００４２】
また、本発明のテレビジョン放送受信装置においては、予約番組選択手段が、前記選択された番組及び前記異なる時間帯に放送される同じ内容の番組の一覧表のデータに基いて、利用電気料金が最も安い番組を、予約番組として決定可能になっていることが好適である。
【００４３】
このように構成することにより、ユーザは、番組の予約の際に、前記選択した番組及び前記異なる時間帯に放送される同じ番組の一覧表から、利用電気料金が最も安い番組を容易に選択することが可能となる。
【００４４】
本発明のテレビ放送番組の予約方法は、デジタル放送の受信手段と録画手段を備えたテレビジョン放送受信装置におけるテレビジョン放送番組の予約方法であって、前記デジタル放送の受信信号から、または、電気通信回線網を介してＥＰＧデータを取得するＥＰＧデータ取得ステップと、これら取得したＥＰＧデータに、番組毎の利用電気料金データを付加して番組表データを作成するステップと、前記番組表データに基いて電子番組表を表示するステップと、前記電子番組表に基いてユーザの操作入力によって視聴または録画の予約を希望する番組を選択する予約番組選択ステップと、予約を希望する番組が選択された時に、その選択された番組の利用料金の表示を含む予約処理画面を表示するステップと、予約処理画面に基いて予約する番組を決定するステップと、を含むことを特徴とする。
【００４５】
このテレビジョン放送番組の予約方法によれば、ＥＰＧデータから作成する電子番組表には、各番組の番組情報の表示に併せて、これら番組の放送時間帯における利用電気料金も表示するので、ユーザは、通常視聴や録画、若しくは予約の視聴や録画の際に、選択する番組の利用電気料金を容易に把握できる。また、予約の際には、選択された番組と異なる時間帯に放送される同じ番組の有無を検索して、前記同じ番組が存在する場合には、前記選択された番組に、この同じ番組を加えた一覧表を表示し、かつ、表示される各番組に、その利用電気料金を併記するので、ユーザは、利用電気料金の安い時間帯の番組を選択して利用電気料金の削減を図ることができる。
【発明の効果】
【００４６】
以上説明したように、本発明のテレビジョン放送受信装置及びテレビジョン放送番組の予約方法によれば、ＥＰＧデータから作成された電子番組表には、番組情報に併せて、各番組の放送時間帯における利用電気料金が表示されるので、ユーザは、通常視聴や録画、若しくは予約の視聴や録画の際に、選択する番組の利用電気料金を容易に把握することができる効果がある。
【００４７】
また、予約の際には、最初に選択された番組と異なる時間帯に放送される同じ番組の有無が検索されて、前述の同じ番組が存在する場合には、前記最初に選択された番組に、この同じ番組を加えた一覧表が表示され、かつ、表示される各番組には、その利用電気料金が併記されるので、ユーザは、利用電気料金の安い時間帯の番組を選択して利用電気料金の削減を図ることができる効果がある。
【発明を実施するための最良の形態】
【００４８】
以下、本発明のテレビジョン放送受信装置及びテレビジョン放送番組の予約方法の、最良の実施形態について、図面の図１〜図１２を参照して詳細に説明する。
【００４９】
図１は、本発明の実施形態に係るテレビジョン放送受信装置の全体構成を示す構成図である。
【００５０】
同図において、本実施形態に係るテレビジョン放送受信装置１００は、デジタル放送とアナログ放送とのいずれも受信可能なテレビジョン放送受信装置であって、アナログ放送を受信する受信アンテナ１０１と、デジタル放送を受信する受信アンテナ１０２とを備える。
【００５１】
また、アナログ放送の受信信号をチューニングする（選局する）アナログチューナー部１０３と、デジタル放送の受信信号をチューニングするデジタルチューナー部１０４と、アナログ放送の受信データからオーディオデータ／ビデオデータを抽出するＡＶスイッチ部１０５と、チューニングされたデジタル放送のデータを復調するデジタル復調部１０６とを備える。
【００５２】
また、ＥＰＧデータの抽出や、復調されたデータの分離を行う分離部１０７と、分離されたデジタル放送のビデオデータをデコードしたり、ビデオ情報を静止画としてキャプチャするビデオデコード／キャプチャ部１０８と、アナログ放送のビデオ信号とデジタル放送のビデオ信号との切換を行うビデオセレクタ部１０９と、分離されたＥＰＧの処理や、ＯＳＤの表示処理を行うと共に、ＥＰＧと予約情報とをミックスさせて表示する処理を行うＥＰＧ／ＯＳＤ／予約データ処理部１１０とを備える。
【００５３】
また、分離されたオーディオデータをデコードするオーディオデコード部１１１と、セレクトされたビデオ信号とＥＰＧやＯＳＤとを合わせてからビデオ出力として変換するビデオ出力変換部１１２と、アナログ放送のオーディオ信号とデジタル放送のオーディオ信号の切換を行うオーディオセレクタ部１１３と、セレクトされたオーディオ信号を出力信号に変換するオーディオ出力変換部１１４と、アナログ放送およびデジタル放送のチューナーでの選局処理を行う選局部１１５とを備える。
【００５４】
また、任意のアドレスを指定して読み書きすることが可能な半導体メモリであり、抽出したＥＰＧデータ等を保存するＲＡＭ１１６と、全体の処理を担うと共に、予約処理を行う番組と同一の番組の検索や、予約情報と利用電気料金との関連付け、及び通信制御部の処理などを行うＣＰＵ１１７と、ビデオマウスを介して予約処理を実行するためのビデオマウスコネクタ１１８と、ビデオマウスで送信する信号の制御を行うビデオマウスマイコン１１９とを備える。
【００５５】
さらに、テレビジョン放送受信装置１００は、プログラムやユーザデータなどが格納され、ＥＰＧデータや電気料金プラン設定内容等が格納される書換え可能な不揮発性メモリ１２０と、電話回線、ＬＡＮ、インターネット等のネットワーク網との制御を行うと共に、ＥＰＧデータの取得等に使用される通信制御部１２１と、ユーザが操作するリモートコントローラからの信号を受信するリモコン受光部１２２と、を備えて構成される。
【００５６】
テレビジョン放送受信装置１００は上記の構成によって次の動作を行う。
【００５７】
ＣＰＵ１１７は、受信により取得されたＥＰＧデータ、若しくはネットワーク網を介してサーバから取得したＥＰＧデータを、ＲＡＭ１１６上に保存する。
【００５８】
また、ＣＰＵ１１７は、ユーザが入力する電気料金プランの設定処理を行って、設定された電気料金プランを不揮発性メモリ１２０に保存する。
【００５９】
また、ＣＰＵ１１７は、ＥＰＧを表示する際には、設定された該当電気料金プランを基に電子番組表に電気料金プランの概要を表示する。また、番組情報の表示時には電気料金プランの概要を表示する。
【００６０】
さらに、ＣＰＵ１１７は、ユーザが番組予約（録画予約または視聴予約）の操作を行った時に、該当するＥＰＧデータに、放送時間帯が異なる同じ番組が存在するか否かをＲＡＭ１１６内を検索することにより検証し、同じ番組が存在する場合には、これら同じ番組を一覧表として表示する。また、この時、これら同じ番組の各時間帯別の利用電気料金を、不揮発性メモリ１２０から取得して、番組毎に番組情報に併せて表示する。
【００６１】
図２は、本発明の実施形態に係るテレビジョン放送受信装置における電気料金プラン設定画面の１例を示す説明図である。
【００６２】
同図に示すように、本実施形態に係るテレビジョン放送受信装置の電気料金プラン設定画面は、電気料金プランの開始時間を設定する開始時間設定枠２０１と、電気料金プランの終了時間を設定する終了時間設定枠２０２と、電気料金プランの該当プランの従量電気料金を設定する料金設定枠２０３と、それぞれの電気料金プランを電子番組表や番組情報として表示する際の表示色を設定する電気料金プラン判別色表示部２０４と、電気料金プラン判別色を設定するプルダウンバー２０５と、電気料金プランの設定を手動で入力する場合に手動設定入力モードに移行するための手動入力ボタン２０６と、インターネット等のネットワークを介して自動的に電気料金プランを取得して設定するためのネットワーク入力ボタン２０７とを備える。
【００６３】
以下、図２を参照しながら、電気料金プランを設定する場合のユーザの操作手順を説明する。
【００６４】
最初に、手動で電気料金プランを設定する場合について説明する。
【００６５】
まず、手動入力ボタン２０６を選択決定し、手動入力モードに移行してから、開始時間設定枠２０１から、設定するプランの開始時刻を選択し、数字ボタンで開始時間を設定する。
【００６６】
次いで、終了時間設定枠２０２から、終了時刻を選択し、数字ボタンで終了時間を設定する。
【００６７】
次いで、料金設定枠を選択し、数字ボタンで電気料金を入力する。
【００６８】
次いで、電気料金プランの判別色を設定するプルダウンバー２０５を選択決定すると、設定できる色のサンプルが表示されるので、その中から選択決定することで判別色の設定を行う。上記の動作を繰り返すことにより、全ての時間帯の電気料金プランの設定が行える。
【００６９】
次に、ネットワーク上で電力会社等が運営するサーバから、ネットワークを介して電気料金プランを設定する手順について説明する。
【００７０】
まず、ネットワーク入力ボタンを選択決定することにより、インターネットなどの電気通信回線網を介して登録されている地域コードや郵便番号データを基に、電力会社を自動的に判別して、該当する電力会社の電気プラン一覧が表示される。
【００７１】
これにより、ユーザは、この一覧から、登録されている料金プランを設定すると、自動的に数値が入力された状態で前述の料金プラン設定画面の表示に戻る。その際、電気料金プランの判別色は料金によって違う色が設定されているが、その後、ユーザが、これを手動で修正することが可能である。
【００７２】
図３は、本発明の実施形態に係るテレビジョン放送受信装置で表示される利用電気料金が併記された電子番組表の１例を示す説明図である。
【００７３】
同図に示すように、本実施形態に係るテレビジョン放送受信装置の電子番組表は、通常の電子番組表内に記載された利用電気料金を示す電気料金バー３０１と、選局中の番組３０２と、番組３０２の番組情報表示部３０３と、番組情報表示部３０３内に表示された該当番組の電気料金プランの表示３０４とを備える。
【００７４】
この電子番組表の表示の際に使用されている表示色は、電気料金プラン設定画面（図２）で設定したプラン判別色を表示している。これにより、ユーザは、この電子番組表を用いて、視聴予約または録画予約する番組の放送時間における利用電気料金を知ることができる。
【００７５】
図４は、本発明の実施形態に係るテレビジョン放送受信装置で表示される利用電気料金が併記された電子番組表の他の１例を示す説明図であり、図４（ａ）は表示例１、図４（ｂ）は表示例２、図４（ｃ）は表示例３を、それぞれ示す。
【００７６】
同図に示す電子番組表では、該当番組の時間帯における利用電気料金を、番組情報欄の右端部に、電気料金プラン設定画面（図２）で設定した色のマークを使って表示している。
【００７７】
図４（ａ）に示す表示例１では、放送時間が２時間の番組のうち、最初の１時間が２番目に安い電気料金プランであり、また、次の１時間が１番高い利用電気料金プランであることを、電気料金プラン設定画面（図２）で設定した判別色で表示している。
【００７８】
図４（ｂ）に示す表示例２では、放送時間が３時間の番組のうち、最初の１時間が１番安い利用電気料金であり、また、次の２時間が２番目に安い利用電気料金であることを、電気料金プラン設定画面で設定した判別色で表示している。
【００７９】
図４（ｃ）に示す表示例３では、放送時間が５時間の番組のうち、最初の１時間が１番安い電気料金プランであり、また、次の３時間が２番目に安い電気料金であり、さらに、最後の１時間が１番高い電気料金であることを、電気料金プラン設定画面で設定した判別色で表示している。
【００８０】
このように、番組の全放送時間を示す枠内を、電気料金プラン設定画面で設定した判別色で表示して、該当する番組の各放送時間帯における利用電気料金をユーザに知らせることが可能となる。
【００８１】
図５は、本発明の実施形態に係るテレビジョン放送受信装置で表示される利用電気料金が併記された電子番組表の他の１例を示す説明図であり、図５（ａ）は表示例４、図５（ｂ）は表示例５、図５（ｃ）は表示例６を、それぞれ示す。
【００８２】
同図に示す電子番組表では、該当番組の時間帯における利用電気料金を、番組情報欄の右端部に、電気料金プラン設定画面（図２）で設定した色のマークを使って表示すると共に、該当番組の全時間帯における概算の利用電気料金を数値で表示している。
【００８３】
図５（ａ）に示す表示例４では、図４（ａ）の表示例１に、該当番組の全時間帯における概算の利用電気料金を数値で併記した表示例であり、放送時間が２時間の番組において、１〔ｋｗｈ〕換算で計算した合計の電気使用料金（２１．５５＋３２．２０＝５３．７５〔円〕）を表示すると共に、括弧内には１時間当たりの電気使用料金（５３．７５／２≒２６．８８〔円〕）を表示している。
【００８４】
同様に、図５（ｂ）に示す表示例５では、図４（ｂ）の表示例２に、該当番組の全時間帯における概算の利用電気料金を数値で併記し、図５（ｃ）に示す表示例６では、図４（ｃ）の表示例３に、該当番組の全時間帯における概算の利用電気料金を数値で併記している。
【００８５】
図６は、本発明の実施形態に係るテレビジョン放送受信装置において、放送時間帯が異なる同じ番組の一覧を表示する場合の表示画面の１例を示す説明図である。
【００８６】
同図に示す表示画面は、表示している一覧を時間順に並べる［時間順］ボタン６０１と、表示している一覧を利用電気料金の安い順に並べる［料金順］ボタン６０２と、放送日時を表示する放送時間帯表示枠６０３と、該当する番組の時間帯における利用電気料金を表示する表示枠６０４と、一覧の中から放送時間の一番早い番組の予約処理を実行するための［時間優先予約］ボタン６０５と、一覧の中から利用電気料金の一番安い番組の予約処理を実行するための［料金優先予約］ボタン６０６とを備える。
【００８７】
図６に示す表示例は、［時間順］ボタン６０１が選択決定（クリック）された場合であり、同じ番組の一覧を、時間帯順で列表示しているが、ユーザは、この他に、［料金順］ボタン６０２を選択決定することにより、料金順（利用電気料金の安い順）で列表示させることが可能である（図７で後述する）。
【００８８】
図６に示す表示例では、ユーザが選択した番組と同じ番組が異なる放送時間帯として存在するので、その全てを放送開始時間の早い順に並べて表示している。この際、該当番組の放送時間帯の表示に利用電気料金が併記されるので、ユーザは、該当番組が放送される時間帯における利用電気料金を把握することが可能となり、放送時間帯と利用電気料金との両面から番組を選択することが可能となる。
【００８９】
なお、放送開始時間が重なった場合には、事前に定義された表示の優先順位に従って表示することが可能である。また、この優先順位には、例えば、画質優先（ＨＤ放送優先）の優先順位や、音質優先（音声チャンネル数の多い放送優先）の優先順位、若しくは放送波（ＢＳデジタル／ＣＳデジタル／地上デジタル／地上アナログ）の優先順位等が可能である。
【００９０】
図６に示す表示画面において、ユーザが、［料金順］ボタンを選択決定することにより、料金順の一覧画面へ遷移する。また、［時間優先予約］ボタンを選択決定することにより、この画面の一番先頭に表示されている番組の予約処理画面へと遷移する。また、［料金優先予約］ボタンを選択決定することにより、利用電気料金の一番安い番組の予約処理画面へと遷移する。さらに、放送時間の枠を選択決定することにより、選択された番組の予約処理実行画面へと遷移する。
【００９１】
図７は、本発明の実施形態に係るテレビジョン放送受信装置において、放送時間帯が異なる同じ番組の一覧を表示する場合の表示画面の他の１例を示す説明図である。
【００９２】
図７に示す表示例は、［料金順］ボタン６０２が選択決定（クリック）された場合であり、放送時間帯が異なる同じ番組の一覧を、利用電気料金の安い順で列表示している。
【００９３】
図７に示す表示例では、ユーザが選択した番組と同じ番組が異なる放送時間帯として存在するので、その全てを利用電気料金の安い順に並べて表示している。この際、図６の表示例と同様に、該当番組の放送時間帯の表示に利用電気料金が併記される。これにより、ユーザは、放送時間帯の異なる同一の番組を、利用電気料金の安い順に把握することが可能となり、放送時間帯と利用電気料金との両面から番組を選択することが可能となる。
【００９４】
なお、料金が同じ番組が複数存在した場合には、事前に定義された表示の優先順位に従って表示することが可能である。また、この優先順位には、例えば、画質優先（ＨＤ放送優先）の優先順位や、音質優先（音声チャンネル数の多い放送優先）の優先順位、若しくは放送波（ＢＳデジタル／ＣＳデジタル／地上デジタル／地上アナログ）の優先順位等が可能である。
【００９５】
図７に示す表示画面において、［時間順］ボタンを選択決定することにより、前述の放送開始時間の早い順に並べられた一覧画面（図６）へ遷移する。また、［時間優先予約］ボタンを選択決定することにより、放送開始時間の一番早い番組の予約処理画面へと遷移する。また、［料金優先予約］ボタンを選択決定することにより、利用電気料金の一番安い番組の予約処理画面へと遷移する。さらに、放送時間の枠を選択決定することにより、選択された番組の予約処理実行画面へと遷移する。
【００９６】
図８は、本発明の実施形態に係るテレビジョン放送受信装置における予約実行画面の１表示例を示す説明図である。
【００９７】
同図に示す表示例では、番組情報と共に、利用電気料金を表示する場合を示しており、予約する番組のチャンネルや放送局名、番組名などの関連情報を表示する予約番組情報表示部８０１と、放送日時を表示する放送時間帯表示枠８０２と、該当する番組の時間帯における利用電気料金の表示枠８０３と、該当番組の録画予約を実行するための［録画予約］ボタン８０４と、該当番組の視聴予約を実行するための［視聴予約］ボタン８０５と、該当番組の予約処理を取りやめるための［戻る］ボタン８０６と、該当番組のストーリーや出演者、コピー情報などの詳細情報を表示する番組詳細情報表示枠８０７と、を備える。
【００９８】
図８に示すように、予約処理を行う番組の番組情報を表示すると共に、この番組の予約を実行する際に選択決定する［録画予約］ボタン８０４を表示し、さらに、この番組の放送時間帯における利用電気料金を併記することにより、ユーザは、録画する番組の録画時の利用電気料金を知ることが可能となる。
【００９９】
図９は、本発明の実施形態に係るテレビジョン放送受信装置において、放送時間帯が異なる同じ番組の一覧表から、現在時刻から近い時間の番組を時間優先として選択する際の表示画面の遷移を１例として示した説明図であり、図９（ａ）は時間帯順の一覧表表示画面を示し、図９（ｂ）は放送開始時間が最も早い番組の表示画面を示す。
【０１００】
図９（ａ）に示す時間帯順・番組一覧表の表示画面から、［時間優先予約］ボタンが選択決定されると、図９（ｂ）に示す表示画面に遷移する。図９（ｂ）に示す表示画面では、図９（ａ）に示す時間帯順・番組一覧表から、先頭に位置する番組が選択されて表示される。
【０１０１】
なお、放送開始時間が重なった場合には、事前に定義された表示の優先順位に従って表示することが可能である。また、この優先順位には、例えば、画質優先（ＨＤ放送優先）の優先順位や、音質優先（音声チャンネル数の多い放送優先）の優先順位、若しくは放送波（ＢＳデジタル／ＣＳデジタル／地上デジタル／地上アナログ）の優先順位等が可能である。
【０１０２】
図１０は、本発明の実施形態に係るテレビジョン放送受信装置において、放送時間帯が異なる同じ番組の一覧表から、利用電気料金の安い番組を優先して選択する際の表示画面の遷移を１例として示した説明図であり、図９（ａ）は時間帯順の一覧表表示画面を示し、図９（ｂ）は利用電気料金が最も安い時間帯に放送される番組の表示画面を示す。
【０１０３】
図１０（ａ）に示す時間帯順・番組一覧表の表示画面から、［料金優先予約］ボタンが選択決定されると、図１０（ｂ）に示す表示画面に遷移する。図１０（ｂ）に示す表示画面では、図１０（ａ）に示す時間帯順・番組一覧表から、利用電気料金の一番安い番組が選択されて表示される。
【０１０４】
なお、料金が同じ番組が複数存在した場合には、事前に定義された表示の優先順位に従って表示することが可能である。また、この優先順位には、例えば、画質優先（ＨＤ放送優先）の優先順位や、音質優先（音声チャンネル数の多い放送優先）の優先順位、若しくは放送波（ＢＳデジタル／ＣＳデジタル／地上デジタル／地上アナログ）の優先順位等が可能である。
【０１０５】
図１１は、本発明の実施形態に係るテレビジョン放送受信装置において、番組表を表示する場合の処理手順を示すフローチャートである。
【０１０６】
まず、ユーザは、番組表を表示するための操作指令であるリモコンボタンの「番組表」ボタンが押される（ステップＳ１０１）。
【０１０７】
これにより、ＣＰＵ１１７は、現在視聴中の放送種別の番組表を表示するために、現在時刻、及び現在視聴中の放送番組の放送種別（アナログ／地上デジタル／ＢＳデジタル／ＣＳデジタル、等）を取得する（ステップＳ１０２）。
【０１０８】
次いで、現在視聴中の放送チャンネルに焦点を当てて表示するために、現在視聴中の放送のチャンネル番号情報を取得する（ステップＳ１０３）。
【０１０９】
次いで、上記取得したチャンネル番号情報に基づいて、該当する時間帯、放送種別別のＥＰＧデータを、ＥＰＧデータが格納されているＲＡＭ１１６（図１）及び／またはテレビジョン放送から取得する（ステップＳ１０４）。
【０１１０】
次いで、電気料金プランが設定されているか否かを判定し（ステップＳ１０５）、このステップＳ１０５において電気料金プランが設定されていない場合はステップＳ１０８に移り、また、電気料金プランが設定されている場合はステップＳ１０６に進む。
【０１１１】
ステップＳ１０６では、ＣＰＵ１１７が、現在の時刻に該当している電気料金プラン（電気料金情報及び判別色情報）を取得する。
【０１１２】
次いで、ＣＰＵ１１７は、取得した電気料金プラン情報を基にして、ＥＰＧ（電子番組表）に対して電気料金情報の表示バーを付加し（ステップＳ１０７）、ステップＳ１０８に進む。
【０１１３】
ステップＳ１０８では、ＣＰＵ１１７が、電気料金情報表示バー付の電子番組表を表示画面に表示する。
【０１１４】
図１２は、本発明の実施形態に係るテレビジョン放送受信装置において、番組の予約が行われる場合の予約処理画面を表示するまでの処理手順を示すフローチャートである。
【０１１５】
まず、ＣＰＵ１１７は、電子番組表の表示画面において、ユーザにより、予約を希望する番組が選択されると、予約処理を行う番組の番組情報を取得する（ステップＳ２０１）。
【０１１６】
次いで、ＣＰＵ１１７は、電気料金プランが設定されているか否かを検証し、電気料金プランが設定されていない場合はステップＳ２１２に移り、また、電気料金プランが設定されている場合はステップＳ２０３に進む（ステップＳ２０２）。
【０１１７】
ステップＳ２０３では、ＣＰＵ１１７が、不揮発性メモリ１２０に格納された全てのＥＰＧデータの中から、予約処理を行う番組と異なる放送時間帯の同じ番組を検索する。
【０１１８】
次いで、ＣＰＵ１１７は、上記検索結果として、予約処理を行う番組と異なる放送時間帯の同じ番組が存在するか否かの判定を行い（ステップＳ２０３）、同じ番組が存在しない場合はステップＳ２０９に移り、また、同じ番組が存在する場合はステップＳ２０５に進む（ステップＳ２０４）。
【０１１９】
ステップＳ２０５では、ＣＰＵ１１７が、不揮発性メモリ１２０から、異なる放送時間帯の同じ番組の番組情報を取得する。
【０１２０】
次いで、ＣＰＵ１１７は、前述の選択されて予約処理を行う番組と、ステップＳ２０３の検索によって得られた異なる放送時間帯の同じ番組の全ての電気料金プラン情報を取得する（ステップＳ２０６）。
【０１２１】
次いで、ＣＰＵ１１７は、取得した番組の各々の利用電気料金の金額の計算を行う（ステップＳ２０７）。
【０１２２】
次いで、ＣＰＵ１１７は、ステップＳ２０３の検索によって得られた異なる放送時間帯の同じ番組の一覧表と、それぞれの番組における電気料金プランとを併記した予約処理画面を表示し（ステップＳ２０８）、処理を終了する。
【０１２３】
ステップＳ２０９では、ＣＰＵ１１７が、予約処理を行う番組の電気料金プラン情報を取得する。
【０１２４】
次いで、ＣＰＵ１１７は、取得した電気料金プランから、予約処理を行う番組の利用電気料金の金額の計算を行う（ステップＳ２０１）。
【０１２５】
次いで、ＣＰＵ１１７は、予約処理を行う番組だけの、電気料金プラン情報を付加した予約処理画面を表示し（ステップＳ２１１）、処理を終了する。
【０１２６】
ステップＳ２１２では、ＣＰＵ１１７が、予約処理を行う番組だけの、電気料金プラン情報無しの予約処理画面を表示し、処理を終了する。
なお、本発明に係るテレビジョン放送受信装置の各構成要素の処理の少なくとも一部をコンピュータ制御により実行するものとし、かつ、上記処理を、図１１，１２のフローチャートで示した手順によりコンピュータに実行せしめるプログラムは、半導体メモリを始め、ＣＤ−ＲＯＭや磁気テープなどのコンピュータ読み取り可能な記録媒体に格納して配付してもよい。そして、少なくともマイクロコンピュータ，パーソナルコンピュータ，汎用コンピュータを範疇に含むコンピュータが、上記の記録媒体から上記プログラムを読み出して、実行するものとしてもよい。
【図面の簡単な説明】
【０１２７】
【図１】本発明の実施形態に係るテレビジョン放送受信装置の全体構成を示す構成図である。
【図２】図１のテレビジョン放送受信装置における電気料金プラン設定画面の１例を示す説明図である。
【図３】図１のテレビジョン放送受信装置で表示される利用電気料金が併記された電子番組表の１例を示す説明図である。
【図４】図１のテレビジョン放送受信装置で表示される利用電気料金が併記された電子番組表の他の１例を示す説明図であり、（ａ）は表示例１、（ｂ）は表示例２、（ｃ）は表示例３をそれぞれ示す。
【図５】図１のテレビジョン放送受信装置で表示される利用電気料金が併記された電子番組表の他の１例を示す説明図であり、（ａ）は表示例４、（ｂ）は表示例５、（ｃ）は表示例６を、それぞれ示す。
【図６】図１のテレビジョン放送受信装置において、放送時間帯が異なる同じ番組の一覧を表示する場合の表示画面の１例を示す説明図である。
【図７】図１のテレビジョン放送受信装置において、放送時間帯が異なる同じ番組の一覧を表示する場合の表示画面の他の１例を示す説明図である。
【図８】図１のテレビジョン放送受信装置における予約実行画面の１表示例を示す説明図である。
【図９】図１のテレビジョン放送受信装置において、放送時間帯が異なる同じ番組の一覧表から、現在時刻から近い時間の番組を時間優先として選択する際の表示画面の遷移を１例として示した説明図であり、（ａ）は時間帯順の一覧表表示画面を示し、（ｂ）は放送開始時間が最も早い番組の表示画面を示す。
【図１０】図１のテレビジョン放送受信装置において、放送時間帯が異なる同じ番組の一覧表から、利用電気料金の安い番組を優先して選択する際の表示画面の遷移を１例として示した説明図であり、（ａ）は時間帯順の一覧表表示画面を示し、（ｂ）は利用電気料金が最も安い時間帯に放送される番組の表示画面を示す。
【図１１】図１のテレビジョン放送受信装置において、番組表を表示する場合の処理手順を示すフローチャートである。
【図１２】図１のテレビジョン放送受信装置において、番組の予約が行われる場合の予約処理画面を表示するまでの処理手順を示すフローチャートである。
【符号の説明】
【０１２８】
１００  テレビジョン放送受信装置
１０１  アナログアンテナ
１０２  デジタルアンテナ（ＢＳデジタル／ＣＳデジタル／地上デジタル）
１０３  アナログチューナー部
１０４  デジタルチューナー部
１０５  ＡＶスイッチ部
１０６  デジタル復調部
１０７  分離部
１０８  ビデオデコード／キャプチャ部
１０９  ビデオセレクタ部
１１０  ＥＰＧ／ＯＳＤ／予約処理部
１１１  オーディオデコード部
１１２  ビデオ出力変換部
１１３  オーディオセレクタ部
１１４  オーディオ出力変換部
１１５  選局部
１１６  ＲＡＭ
１１７  ＣＰＵ
１１８  ビデオマウスコネクタ
１１９  ビデオマウスマイコン
１２０  不揮発性メモリ
１２１  通信制御部
１２２  リモコン受光部
２０１  電気料金プランの開始時間を設定する開始時間設定枠
２０２  電気料金プランの終了時間を設定する終了時間設定枠
２０３  電気料金プランの該当プランの従量電気料金を設定する料金設定枠
２０４  電気料金プラン判別色表示部
２０５  電気料金プラン判別色を設定するプルダウンバー
２０６  手動設定入力モードに移行するための手動入力ボタン
２０６  ネットワークを介した電気料金プランの入力ボタン
【図１】
2006203720.tif 000003
【図２】
2006203720.tif 000004
【図３】
2006203720.tif 000005
【図４】
2006203720.tif 000006
【図５】
2006203720.tif 000007
【図６】
2006203720.tif 000008
【図７】
2006203720.tif 000009
【図８】
2006203720.tif 000010
【図９】
2006203720.tif 000011
【図１０】
2006203720.tif 000012
【図１１】
2006203720.tif 000013
【図１２】
2006203720.tif 000014